(57)【特許請求の範囲】
【請求項１】
把持するための把持部と、前記把持部の一端に延設され睫毛を成形する成形部とを備える睫毛成形具において、
前記成形部は、基台と、前記基台の一面に露出するように設けられるヒータと、前記ヒータが露出する前記基台の前記一面側における両側部であって前記成形部が延設された方向に、かつ前記基台の前記一面側に設けられた睫毛の当て面に対して略垂直に複数設けられた円柱状の櫛片と、前記基台の前記一面側に前記成形部が延設された方向と垂直な方向に成形され、かつ前記成形部が延設された方向に複数設けられた、前記櫛片よりも高いリブとを備えたことを特徴とする睫毛成形具。
【請求項２】
前記ヒータが露出する露出部を覆うカバーをさらに備え、該カバーに櫛片を設けたことを特徴とする請求項１に記載の睫毛成形具。
【請求項３】
前記両側部に設けられた櫛片および前記カバーに設けられた櫛片は、互い違いであることを特徴とする請求項２に記載の睫毛成形具。
【発明の詳細な説明】
【０００１】
【発明の属する技術分野】
本発明は、睫毛を成形するための睫毛成形具に関するものである。
【０００２】
【従来の技術】
睫毛を成形するための睫毛成形具であって、把持するための把持部と、把持部先端に延設され睫毛のカールづけを行なう成形部とを備えた一般の睫毛成形具には、成形部の睫毛作用側に露出するように設けられるヒータを有している形式のものがある。
【０００３】
例えば、特開平２００１−１２０３３３号公報には、成形部のヒータに電流を通じて加熱するとともに、加熱されたヒータ表出面を睫毛に押し当てるようにして接触させることにより、睫毛をカールさせることができるように構成された技術が開示されている。
【０００４】
【発明が解決しようとする課題】
しかしながら、目元を美しく見せるための睫毛の状態としては、睫毛同士がくっついているよりも離れている状態の方がよりボリューム感があり美しく見えることは以前から知られていることであるにもかかわらず、上述のような睫毛成形具の従来技術では、睫毛を分散させて成形することができないため、睫毛を梳かすための櫛を別途併用しなければならないという問題があった。
【０００５】
本発明は上記不具合に鑑みてなされたものであり、成形部の睫毛作用側に露出するように設けられるヒータを有している睫毛成形具において、睫毛を成形するとともに睫毛を分散させることができる睫毛成形具を提供することを課題としている。
【０００６】
【課題を解決するための手段】
上記課題を解決するための本発明は、把持するための把持部と、前記把持部の一端に延設され睫毛を成形する成形部とを備える睫毛成形具において、前記成形部は、基台と、前記基台の一面に露出するように設けられるヒータと、前記ヒータが露出する前記基台の前記一面側における両側部であって前記成形部が延設された方向に、かつ前記基台の前記一面側に設けられた睫毛の当て面に対して略垂直に複数設けられた円柱状の櫛片と、前記基台の前記一面側に前記成形部が延設された方向と垂直な方向に成形され、かつ前記成形部が延設された方向に複数設けられた、前記櫛片よりも高いリブとを備えたことを特徴とする睫毛成形具である。
【０００７】
この発明によれば、把持部の一端に延設され睫毛を成形する成形部において、基台の一面側に櫛片が設けられているので、睫毛を成形するのと同時に睫毛を分散させることができる。しかも、前記櫛片は、前記基台の前記一面側の両側部に設けられるので、ヒータによる睫毛のカールづけの直前、直後に睫毛を分散させることができる結果、的確に睫毛を分散させることができる。また、前記櫛片は、前記基台の前記一面側に設けられた睫毛の当て面に略垂直に複数設けられた円柱状とされたので、櫛片の睫毛への導入が容易であり、ヒータによる睫毛のカールづけを損なうことがない状態でカールづけを行おうとする睫毛を分散させることができる。そして、前記基台の前記一面側に前記成形部が延設された方向と垂直な方向に成形され、かつ前記成形部が延設された方向に、櫛片よりも高いリブを複数設けたので、櫛片がまぶたに当たることを防止しながら睫毛を分散させることができる。
【０００８】
また、本発明の別の好ましい態様は、前記ヒータが露出する露出部を覆うカバーをさらに備え、該カバーに櫛片を設けたことを特徴とする請求項１に記載の睫毛成形具である。
【０００９】
この好ましい態様によれば、ヒータの露出部を覆うカバーに櫛片を設けたので、櫛片を多数設けることができる結果、効果的に睫毛を分散させることができる。
【００１０】
また、本発明の別の好ましい態様は、前記両側部に設けられた櫛片および前記カバーに設けられた櫛片は、互い違いであることを特徴とする請求項２に記載の睫毛成形具である。
【００１１】
この好ましい態様によれば、両側部に設けられた櫛片およびカバーに設けられた櫛片が互い違いになるように設けられているので、不規則に生えた睫毛に対しても睫毛の導入が効果的に行われ、さらにきめ細かく睫毛を分散させることができる。
【００１２】
【発明の実施の形態】
以下、添付図面を参照しながら本発明の好ましい実施の一形態について詳述する。図１は本発明の実施形態に係る睫毛成形具１０の構成を示す正面図であり、図２は本発明の実施形態に係る睫毛成形具１０の構成を示す側面図である。
【００１３】
図１と図２とを参照して、図示の本発明の実施形態に係る睫毛成形具１０は、睫毛を成形するためのものであって、把持するための把持部１と、把持部１の一端に延設され睫毛を成形する成形部２とを備えており、この成形部２には、基台３と、成形部２の睫毛作用側に基台３の一面に露出するように設けられるヒータ４とを備えている。
【００１４】
また、このヒータ４が露出する基台３の一面３ａ側には、睫毛の当て面３ｂが設けられており、この当て面３ｂに、睫毛を成形するのと同時に睫毛を分散させることができるようにするために、櫛片５が設けられている。
【００１５】
また、基台３の一面３ａ側には、さらに、櫛片５がまぶたに当たることを防止しながら睫毛を分散させることができるようにするために、櫛片５よりも高い複数のリブ６が平行に設けられている。
【００１６】
そして、本発明の実施形態に係る睫毛成形具１０は、基台３の一面３ａ側に露出するように設けられたヒータ４に電流を通じて加熱するとともに、ヒータ４の表出面４ａを睫毛に押し当てるようにして接触させることにより、睫毛を成形してカールさせることができるように構成されている。
【００１７】
上記把持部１は、細長い円筒状の合成樹脂製容器で構成されており、この把持部１の中には、詳細は省略するが、単４電池を脱着自在に収納する電池室とともに、ヒータ４の発熱を制御して適当な温度にヒータ４の温度を維持するための制御回路が設けられたプリント基板を収納する回路室が設けられている。
【００１８】
また、この把持部１には、側面に電源スイッチ１ａが設けられており、この電源スイッチ１ａを把持部１の長手方向にスライドさせることにより、電池からヒータ４に対する電力の供給がＯＮ、ＯＦＦされる。
【００１９】
上記基台３は、成形部２において、把持部１の一端に延設された棒状の部分であり、睫毛を成形部２に受け入れて成形を容易にする為に、基台３の中心軸と把持部１の中心軸は一定距離だけ平行に偏心した構成になっている。
【００２０】
図３は本発明の実施形態に係る睫毛成形具１０の成形部２の構成を示す正面図である。また、図４は本発明の実施形態に係る睫毛成形具１０の成形部２の構成を示す側面図である。
【００２１】
また、図５は本発明の実施形態に係る睫毛成形具１０の成形部２の構成を示す断面図である。
【００２２】
図３〜図５を参照して、上記ヒータ４は、通電されると発熱するニクロム線等の電熱線が採用されている。この電熱線は、電池の電力ですみやかに発熱するが、発生する熱によって、ヒータ４近傍の合成樹脂等の部材が溶融することのない温度になるように、最適な抵抗値のものが使用されている。
【００２３】
このヒータ４は、Ｕ字状に曲折して形成された絶縁ロッド４ｂにニクロム線をコイル状に巻きつけて形成されており、基台３の内部に設けたＵ字溝３ｂに配設されている。
【００２４】
このヒータ４は、基台３からヒータ４の表出面４ａが外方に臨んでおり、このヒータ４の表出面４ａに睫毛を接触させることにより睫毛を成形してカールすることができるようになっている。
【００２５】
また、このヒータ４は、電池からヒータ４に電力を供給するためのリード線４ｃに接続されており、このリード線４ｃは、把持部１（図１）の回路室に配設された図略のプリント基板に接続されている。
【００２６】
上記櫛片５は、カールづけを行おうとする睫毛を、ヒータ４による睫毛のカールづけを損なうことがない状態で分散させるために、睫毛の当て面３ｂに対し略垂直に設けられた略円柱状の部分であり、ヒータ４による睫毛のカールづけの直前、直後に睫毛を分散させるために、基台３の一面の両側部３ｃに設けられる。
【００２７】
上記複数のリブ６は、櫛片５がまぶたに当たることを防止しながら睫毛を分散させることができるようにするために、基台３の一面３ａ側に櫛片５よりも高く設けられたものであり、睫毛をカールさせる方向すなわち、把持部１の軸方向と垂直な方向に等間隔に平行に設けられている。このリブ６は、ヒータ４の表出面４ａが、リブ６の先端６ａよりも外側に突出することを確実に阻止している。そのため、ヒータ４が直接まぶたに当たりやけどすることを防止できる。また、リブ６の先端６ａの縁は断面が滑らかな曲線になるように成形されており、使用者のまぶたを傷つけることなく隣接するリブ６の間に睫毛を滑らかに導入することができる構成になっている。
【００２８】
次に図６を参照して、本実施形態の睫毛成形具１０の作用について説明する。図６は本発明の実施形態に係る睫毛成形具１０の使用状態を示す説明図であり、図６を参照して、（ａ）は、本実施形態に係る睫毛成形具１０のヒータ４を睫毛の基部Ｅａに押し当てている状態、（ｂ）は、本実施形態に係る睫毛成形具１０のヒータ４を睫毛の中央部Ｅｂに押し当てている状態、（ｃ）は、本実施形態に係る睫毛成形具１０のヒータ４を睫毛の中央部Ｅｂから上部Ｅｃにかけて押し当てている状態を示している。
【００２９】
このように、本実施形態に係る睫毛成形具１０の使用者は、図略の鏡と正対し、図示のように、櫛片５と櫛片５との間に睫毛を導入させた状態で、睫毛の基部Ｅａから上部にかけて、睫毛の下面にヒータ４を押し当てて睫毛を成形することにより、きれいな形に睫毛をカールさせることができる。
【００３０】
以上説明したように、本実施形態の睫毛成形具１０によれば、把持部１の一端に延設され睫毛を成形する成形部２において、基台３の一面３ａ側に櫛片５が設けられているので、睫毛を成形するのと同時に睫毛を分散させることができる。
【００３１】
また、本実施形態の睫毛成形具１０によれば、睫毛の当て面３ｂに対し、略垂直方向に櫛片５を設けたので、櫛片５の睫毛への導入が容易であり、ヒータ４による睫毛のカールづけを損なうことがない状態でカールづけを行おうとする睫毛を分散させることができる。
【００３２】
また、本実施形態の睫毛成形具１０によれば、基台３の一面の両側部３ｃに櫛片５を設けたので、ヒータ４による睫毛のカールづけの直前、直後に睫毛を分散させることができる結果、的確に睫毛を分散させることができる。
【００３３】
また、本実施形態の睫毛成形具１０によれば、基台３の一面３ａ側に櫛片５よりも高いリブ６を設けたので、櫛片５がまぶたに当たることを防止しながら睫毛を分散させることができる。
【００３４】
次に図７を参照して、本実施形態に係る睫毛成形具１０の第一の変形例２０について説明する。
【００３５】
図７は本発明の実施形態に係る睫毛成形具１０の成形部２の第一の変形例２０を示す断面図であり、図８は本発明の実施形態に係る睫毛成形具１０の成形部２の第一の変形例２０を示す正面図である。
【００３６】
図７〜図８を参照して、本実施形態に係る睫毛成形具１０の第一の変形例２０は、櫛片５を多数設けて、効果的に睫毛を分散させるために、ヒータ４が露出する表出部４ａを覆うカバー７をさらに備え、このカバー７にも櫛片５を多数設けている。
【００３７】
上記カバー７は、ヒータ４からの熱を睫毛に伝達するための熱伝導性の良い材料から構成される部材であり、睫毛をカールさせて成形する際に、睫毛がカバー７の面に沿って形良く成形されるようにするために、カバー７の睫毛側の面は、中央凹に湾曲する湾曲面に形成されている。
【００３８】
このように、本実施形態に係る睫毛成形具１０の第一の変形例２０によれば、ヒータ４が露出する表出部４ａに、表出部４ａを覆うカバー７をさらに設け、このカバー７にも櫛片５を設けられるようにしたので、カバー７の睫毛側の面７ａに設けられる多数の櫛片５により、効果的に睫毛を分散させることができるように構成されている。
【００３９】
次に図９を参照して、本実施形態に係る睫毛成形具１０の第二の変形例３０について説明する。図９は本発明の実施形態に係る睫毛成形具１０の第二の変形例３０を示す正面図である。
【００４０】
図９を参照して、本実施形態に係る睫毛成形具１０の第二の変形例３０は、不規則に生えた睫毛に対しても成形部２への睫毛の導入を効果的に行い、さらにきめ細かく睫毛を分散させるために、両側部３ｃに設けられた櫛片５ａおよびカバー７に設けられた櫛片５ｂは、互い違いになるように配置されている。
【００４１】
このように、本実施形態に係る睫毛成形具１０の第二の変形例３０によれば、両側部３ｃに設けられた櫛片５ａおよびカバー７に設けられた櫛片５ｂが互い違いになるように設けられているので、不規則に生えた睫毛に対しても睫毛の導入が効果的に行われ、さらにきめ細かく睫毛を分散させることができるように構成されている。
【００４２】
上述した実施の形態は本発明の好ましい具体例を例示したものに過ぎず、本発明は上述した実施の形態に限定されない。
【００４３】
例えば、把持部１は、細長い円筒状の合成樹脂製容器に限定されず、形状材質については種々の設計変更が可能である。
【００４４】
また、この把持部１の中に収納される電池は、必ずしも単４電池である必要はなく、種々のタイプの電池が採用可能である。
【００４５】
また、電源スイッチ１ａの入力方法も必ずしもスライド方式に限らず、プッシュ式など、その他の機構が採用可能である。
【００４６】
さらに、基台３の形状も、必ずしも棒状に限定されず、また、基台３の中心軸と把持部１の中心軸は一定距離だけ平行に偏心した構成になっている必要はない。睫毛を基台３に受け入れて成形を容易にすることができれば、どのような形状であってもよい。
【００４７】
ヒータ４は、ニクロム線に限らず、通電されると発熱する電熱線であり、電池の電力ですみやかに発熱するが、発生する熱によって、ヒータ４近傍の合成樹脂等の部材が溶融することのない温度になるような最適な抵抗値のものであれば、採用可能である。
【００４８】
櫛片５の形状も必ずしも円柱状に限定されず、カールづけを行おうとする睫毛を、ヒータ４による睫毛のカールづけを損なうことがない状態で分散させることができる形状であれば、種々の設計変更が可能である。
【００４９】
リブ６の形状も必ずしも図示の形状に限定されない。櫛片５がまぶたに当たることを防止しながら睫毛を分散させることができるようにするために、櫛片５よりも高く設けられたものであり、ヒータ４の表出面４ａが、リブ６の先端６ａよりも外側に突出することを確実に阻止するものであれば、種々の設計変更が可能である。
【００５０】
その他、本発明の特許請求の範囲内で種々の設計変更が可能であることはいうまでもない。
【００５１】
【発明の効果】
以上説明したように、本発明によれば、成形部の睫毛作用側に露出するように設けられるヒータを有している睫毛成形具において、睫毛を成形するのと同時に睫毛を分散させることができるという顕著な効果を奏する。しかも、前記櫛片は、前記基台の前記一面側の両側部に設けられるので、ヒータによる睫毛のカールづけの直前、直後に睫毛を分散させることができる結果、的確に睫毛を分散させることができる。また、前記櫛片を、前記基台の前記一面側に設けられた睫毛の当て面に略垂直に複数設けられた円柱状としたので、櫛片の睫毛への導入が容易であり、ヒータによる睫毛のカールづけを損なうことがない状態でカールづけを行おうとする睫毛を分散させることができる。そして、前記基台の前記一面側に前記成形部が延設された方向と垂直な方向に成形され、かつ前記成形部が延設された方向に、櫛片よりも高いリブを複数設けたので、櫛片がまぶたに当たることを防止しながら睫毛を分散させることができる。
【図面の簡単な説明】
【図１】  本発明の実施形態に係る睫毛成形具の構成を示す正面図である。
【図２】  本発明の実施形態に係る睫毛成形具の構成を示す側面図である。
【図３】  本発明の実施形態に係る睫毛成形具の成形部の構成を示す正面図である。
【図４】  本発明の実施形態に係る睫毛成形具の成形部の構成を示す側面図である。
【図５】  本発明の実施形態に係る睫毛成形具の成形部の構成を示す断面図である。
【図６】  本発明の実施形態に係る睫毛成形具の作用を示す説明図である。
【図７】  本発明の実施形態に係る睫毛成形具の成形部の第一の変形例を示す断面図である。
【図８】  本発明の実施形態に係る睫毛成形具の成形部の第一の変形例を示す正面図である。
【図９】  本発明の実施形態に係る睫毛成形具の第二の変形例を示す正面図である。
【符号の説明】
１  把持部
２  成形部
３  基台
３ｂ  当て面
３ｃ  両側部
４  ヒータ
４ａ  表出部
５、５ａ、５ｂ  櫛片
６  リブ
７  カバー
１０  睫毛成形具
【図１】
0004075443.tif 000002
【図２】
0004075443.tif 000003
【図３】
0004075443.tif 000004
【図４】
0004075443.tif 000005
【図５】
0004075443.tif 000006
【図６】
0004075443.tif 000007
【図７】
0004075443.tif 000008
【図８】
0004075443.tif 000009
【図９】
0004075443.tif 000010